(57)【要約】【課題】長尺状の筐体と、複数の発光素子が配置された長尺状の基板とを備える照明装置であって、効率よく組み立てることができる照明装置を提供すること。【解決手段】照明装置１０であって、第一開口部５５及び第二開口部５６を有する長尺状の筐体５０と、第一開口部５５に取り付けられた第一端部カバー１７０と、筐体５０の内部の基板配置面５８に配置され、複数の発光素子１２１が配置された長尺状の基板１０１とを備え、基板１０１は、発光素子領域１０２、及び、基板１０１の短手方向において発光素子領域１０２と隣り合う回路領域１０３を有し、第一端部カバー１７０は、筐体５０の、基板１０１に対向する内面である天面５９に当接する第一当接部１７５と、第一当接部１７５の、天面５９と反対側に接触して配置され、回路領域１０３の第一開口部５５側の端部を、基板配置面５８に向かう方向に押圧する第一押圧部１７６とを有する。【選択図】図７
2018085211.tif 000002
【特許請求の範囲】
【請求項１】
長手方向の一端に第一開口部を有し、前記長手方向の他端に第二開口部を有する長尺状の筐体と、
前記筐体の前記第一開口部に取り付けられた第一端部カバーと、
前記筐体の内部の基板配置面に配置され、複数の発光素子が配置された長尺状の基板とを備え、
前記基板は、複数の発光素子が前記基板の長手方向に並んで配置された発光素子領域、及び、前記基板の短手方向において前記発光素子領域と隣り合う回路領域であって、複数の回路部品が前記長手方向に並んで配置された回路領域を有し、
前記第一端部カバーは、
前記筐体の、前記基板に対向する内面に当接する第一当接部と、
前記第一当接部の、前記内面と反対側に接触して配置され、前記回路領域の前記第一開口部側の端部を、前記基板配置面に向かう方向に押圧する第一押圧部とを有する
照明装置。
【請求項２】
前記第一押圧部は、弾性部材である
請求項１記載の照明装置。
【請求項３】
前記第一押圧部は導電性を有し、
前記回路領域の前記第一開口部側の端部には第一電極が設けられており、
前記第一押圧部が前記第一電極を押圧することで、前記第一端部カバーと前記基板とが電気的に接続される
請求項１または２に記載の照明装置。
【請求項４】
前記第一端部カバーは、前記筐体に、接着剤またはネジにより取り付けられている
請求項１〜３のいずれか１項に記載の照明装置。
【請求項５】
さらに、
前記筐体の、前記第二開口部に取り付けられた第二端部カバーを備え、
前記第二端部カバーは、
前記筐体の、前記基板に対向する内面に当接する第二当接部と、
前記第二当接部の、前記内面と反対側に接触して配置され、前記回路領域の前記第二開口部側の端部を、前記基板配置面に向かう方向に押圧する第二押圧部とを有する
請求項１〜４のいずれか１項に記載の照明装置。
【請求項６】
前記第二押圧部は導電性を有し、
前記回路領域の前記第二開口部側の端部には第二電極が設けられており、
前記第二押圧部が前記第二電極を押圧することで、前記第二端部カバーと前記基板とが電気的に接続されており、
前記複数の発光素子は、前記第一押圧部を介して供給される電力を用いて発光し、
前記第二端部カバーはさらに、前記第一押圧部から、前記基板を介して前記第二押圧部に供給される電力を外部に出力する出力部を有する
請求項５記載の照明装置。
【発明の詳細な説明】
【技術分野】
【０００１】
本発明は、長尺状の筐体と、複数の発光素子が配置された長尺状の基板とを備える照明装置に関する。
【背景技術】
【０００２】
近年、ＬＥＤ等の固体発光素子は、高効率及び長寿命であることから、各種ランプの新しい光源として期待されており、ＬＥＤを光源とするＬＥＤランプの研究開発が進められている。
【０００３】
このようなＬＥＤランプの一つとして、長尺状の筐体を備えるＬＥＤランプがある。例えば、特許文献１には、外管体と、外管体に収容された、複数のＬＥＤを有するＬＥＤモジュール（発光モジュール）とを備える照明装置が開示されている。
【先行技術文献】
【特許文献】
【０００４】
【特許文献１】特開２００９−０４３４４７号公報
【発明の概要】
【発明が解決しようとする課題】
【０００５】
上記従来の照明装置のような、長尺かつ筒状の筐体と、複数の発光素子が配置された長尺状の基板とを備える照明装置の場合、基板を筐体内に固定するために接着剤が用いられる場合がある。この場合、例えば基板の裏面に接着剤を塗布した状態で、接着剤が筐体の内面に接触しないように基板を筐体内に挿入する等の煩雑な作業が必要である。
【０００６】
また、例えば、基板の両端部のカバー（口金等）に、基板を固定する役割を担わせた場合、基板からカバーに力学的な負荷がかけられることで、例えばカバーと筐体との接続部分に不具合が生じる可能性がある。
【０００７】
本発明は、上記従来の課題を考慮し、長尺状の筐体と、複数の発光素子が配置された長尺状の基板とを備える照明装置であって、効率よく組み立てることができる照明装置を提供することを目的とする。
【課題を解決するための手段】
【０００８】
本発明の一態様に係る照明装置は、長手方向の一端に第一開口部を有し、前記長手方向の他端に第二開口部を有する長尺状の筐体と、前記筐体の前記第一開口部に取り付けられた第一端部カバーと、前記筐体の内部の基板配置面に配置され、複数の発光素子が配置された長尺状の基板とを備え、前記基板は、複数の発光素子が前記基板の長手方向に並んで配置された発光素子領域、及び、前記基板の短手方向において前記発光素子領域と隣り合う回路領域であって、複数の回路部品が前記長手方向に並んで配置された回路領域を有し、前記第一端部カバーは、前記筐体の、前記基板に対向する内面に当接する第一当接部と、前記第一当接部の、前記内面と反対側に接触して配置され、前記回路領域の前記第一開口部側の端部を、前記基板配置面に向かう方向に押圧する第一押圧部とを有する。
【発明の効果】
【０００９】
本発明によれば、長尺状の筐体と、複数の発光素子が配置された長尺状の基板とを備える照明装置であって、効率よく組み立てることができる照明装置を提供することができる。
【図面の簡単な説明】
【００１０】
【図１】実施の形態に係る照明装置の外観を示す斜視図である。
【図２】実施の形態に係る照明装置の分解斜視図である。
【図３】実施の形態に係る発光モジュールの構成概要を示す平面図である。
【図４】実施の形態に係る第一端部カバーの第１の分解斜視図である。
【図５】実施の形態に係る第一端部カバーの第２の分解斜視図である。
【図６】実施の形態に係る照明装置の組み立て手順を示す第１の図である。
【図７】実施の形態に係る照明装置の組み立て手順を示す第２の図である。
【図８】実施の形態に係る照明装置の第二端部カバー及びその周辺の構造を示す図である。
【発明を実施するための形態】
【００１１】
以下、実施の形態に係る照明装置について、図面を参照しながら説明する。なお、以下に説明する実施の形態は、本発明の一具体例を示すものである。したがって、以下の実施の形態で示される、数値、形状、材料、構成要素、構成要素の配置位置及び接続形態、工程、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態）
［照明装置の概要］
まず、本発明の実施の形態に係る照明装置１０の概要について、図１及び図２を用いて説明する。
【００１４】
図１は、実施の形態に係る照明装置１０の外観を示す斜視図である。図２は、実施の形態に係る照明装置１０の分解斜視図である。
【００１５】
なお、図１及び図２では、発光部１２０からの光が、主に上方（Ｚ軸プラス方向）及び手前側（Ｙ軸マイナス方向）に放出される姿勢で照明装置１０が図示されている。また、説明の便宜上、上下方向とＺ軸方向とが一致し、照明装置１０の長手方向とＸ軸方向とが一致するように照明装置１０が図示されている。しかし、照明装置１０の使用時の姿勢は、これらの図に限定されない。例えば、照明装置１０は、長手方向が水平方向に対して傾いた姿勢で照明装置１０が壁または支柱等に固定されてもよい。
【００１６】
図１及び図２に示すように、本実施の形態に係る照明装置１０は、長尺状の筐体５０と、筐体５０に収容され、複数の発光素子１２１が配置された長尺状の基板１０１とを備える。
【００１７】
具体的には、基板１０１及び複数の発光素子１２１は、発光モジュール１００の一部として筐体５０の内部に配置されている。
【００１８】
発光モジュール１００は、照明装置１０の外部から供給される電力によって光を発し、発光モジュール１００から発せられた光は、筐体５０が有する光源カバー５２を透過して外部に放出される。つまり、照明装置１０から照明光が放出される。
【００１９】
［筐体］
本実施の形態に係る筐体５０は、発光モジュール１００が取り付けられる本体部５１と、透光性を有する光源カバー５２とを有する。
【００２０】
本体部５１は、例えば、ポリカーボネート（ＰＣ）等の樹脂、または、アルミニウム合金等の金属で構成された遮光部材であり、内面の一部に、発光モジュール１００の基板１０１が配置される基板配置面５８を有する。光源カバー５２は、透光性を有する樹脂材料を用いて形成されている。光源カバー５２の材料は、例えば、ＰＣ、アクリル（ＰＭＭＡ）、ポリエチレンテレフタレート（ＰＥＴ）又はポリ塩化ビニルなどである。
【００２１】
光源カバー５２は、光拡散性（光散乱性）を有してもよい。これにより、光源カバー５２に入射する光を拡散（散乱）させることができ、光源カバー５２の全体から略均一に光を外部に取り出すことができる。この場合、光源カバー５２は、例えば、乳白色であり、光拡散粒子を分散させた樹脂材料によって形成することができる。また、光源カバー５２の内面又は外面に乳白色の光拡散膜を形成してもよく、光源カバー５２に複数の光拡散ドット又は微小凹凸（シボ）を形成してもよい。
【００２２】
筐体５０は、図１及び図２に示すように、長手方向の一端に第一開口部５５を有し、長手方向の他端に第二開口部５６を有する。第一開口部５５には、第一端部カバー１７０が配置され、第二開口部５６には、第二端部カバー１８０が配置される。
【００２３】
第二端部カバー１８０には、例えば図２に示すように、ネジ孔１８１ａが複数形成されており、第二端部カバー１８０は、これらネジ孔１８１ａを貫通して配置された複数のネジ１９０によって筐体５０に固定される。なお、図示は省略されているが、第一端部カバー１７０も同様に、複数のネジ１９０によって筐体５０に固定される。また、第一端部カバー１７０及び第二端部カバー１８０の筐体５０への固定の手法に特に限定はなく、例えば、接着剤によって固定されてもよい。
【００２４】
第一端部カバー１７０は、筐体５０の、基板１０１に対向する内面に当接する第一当接部１７５を有し、第二端部カバー１８０は、筐体５０の、基板１０１に対向する内面に当接する第二当接部１８５を有する。
【００２５】
第一当接部１７５及び第二当接部１８５それぞれの基板１０１側には、基板１０１を押圧する押圧部が配置されている。本実施の形態では、これら押圧部が、基板１０１（発光モジュール１００）と、第一端部カバー１７０及び第二端部カバー１８０それぞれの電気的な接続を行う役割も有している。第一端部カバー１７０及び第二端部カバー１８０の詳細については、図３〜図８を用いて後述する。
【００２６】
［発光モジュール］
次に、図１及び図２を参照しながら、さらに図３を用いて、実施の形態に係る発光モジュール１００について説明する。図３は、実施の形態に係る発光モジュール１００の構成概要を示す平面図である。なお、図３では、発光モジュール１００の基板１０１と、第一端部カバー１７０及び第二端部カバー１８０との接続関係を示すために、第一端部カバー１７０及び第二端部カバー１８０は、側面視で図示されている。また、第一端部カバー１７０及び第二端部カバー１８０の絶縁性を有する部分については、外形が点線で図示されている。
【００２７】
発光モジュール１００は、基板１０１と、基板１０１に設けられた発光部１２０及び駆動回路１３０とを有する。本実施の形態では、発光部１２０は、基板１０１の長手方向（筐体５０の長手方向と同じくＸ軸方向）に並べられた複数の発光素子１２１を含み、駆動回路１３０は、基板１０１の長手方向に並べられた複数の回路部品１３１を含む。
【００２８】
本実施の形態では、基板１０１は、図３に示すように、基板１０１の短手方向（Ｙ軸方向）に並んで配置された発光素子領域１０２と回路領域１０３とを有する。
【００２９】
基板１０１の発光素子領域１０２には、複数の発光素子１２１が並んで配置されており、これら複数の発光素子１２１により発光部１２０が構成されている。また、回路領域１０３には、複数の回路部品１３１が並んで配置されており、これら複数の回路部品１３１により駆動回路１３０が構成されている。
【００３０】
複数の発光素子１２１のそれぞれは、例えば、パッケージ化された表面実装（ＳＭＤ：Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子である。複数の発光素子１２１の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、例えば、青色ＬＥＤチップからの青色光を励起光として蛍光発光するＹＡＧ（イットリウム・アルミニウム・ガーネット）等の黄色蛍光体が、波長変換材として含有されている。
【００３１】
このように、複数の発光素子１２１の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして発光素子１２１から白色光が出射される。
【００３２】
駆動回路１３０は、本実施の形態では、外部から供給される交流電力を直流電力に変換する電源回路と、発光部１２０の発光状態を制御する制御回路とを含む。
【００３３】
具体的には、複数の回路部品１３１には、電源回路を構成する１以上の回路部品１３１（電源用回路部品）が含まれている。電源用回路部品としての回路部品１３１のそれぞれは、例えば、電解コンデンサ又はセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。
【００３４】
また、複数の回路部品１３１には、制御回路を構成する１以上の回路部品１３１（制御用回路部品）が含まれている。制御用回路部品としての回路部品１３１のそれぞれは、コンデンサ等の容量素子、抵抗素子、ＭＯＳＦＥＴ等のスイッチング素子、ダイオード、または、集積回路（ＩＣ）等である。
【００３５】
基板１０１は、複数の発光素子１２１及び複数の回路部品１３１を実装するためのプリント配線基板であり、長尺矩形状に形成されている。本実施の形態では、基板１０１の厚み方向の両面のうちの一方の面（図２、図３における主面１０１ａ）のみに、パターン形成された金属配線が設けられている。複数の発光素子１２１及び複数の回路部品１３１は、この金属配線にはんだ付けされている。複数の発光素子１２１は、金属配線により例えば直列に接続されており、駆動回路１３０から出力される電流が金属配線を介して複数の発光素子１２１に供給される。
【００３６】
基板１０１の種類としては、例えば、ＣＥＭ３（Ｃｏｍｐｏｓｉｔｅ  ｅｐｏｘｙ  ｍａｔｅｒｉａｌ−３）基板等のガラスコンポジット基板、樹脂基板、メタルベース基板、セラミック基板、又は紙フェノール基板等が採用される。
【００３７】
ここで、本実施の形態に係る基板１０１は、基板１０１の裏面（主面１０１ａと反対側の面）が、リード線または金属配線等の導電物がなく、かつ、フラットな形状であるため、裏面を筐体５０の基板配置面５８と面接触させた状態で配置することができる。これにより、駆動回路１３０及び発光部１２０で発生した熱は、効率よく筐体５０に伝導される。つまり、発光モジュール１００で発生した熱の放熱が効率よく行われる。
【００３８】
なお、基板１０１の裏面はフラットであることは必須ではなく、例えば、基板１０１の裏面からリード線等が突出していてもよい。この場合、基板１０１は、基板配置面５８に設けられた複数のボスによって、基板１０１の裏面と基板配置面５８とを離間した状態で、基板配置面５８に配置されてもよい。
【００３９】
駆動回路１３０は、筐体５０の第一端部カバー１７０から交流電力を受け取り、受け取った交流電力を発光部１２０に応じた特性の直流電力に変換する。また、駆動回路１３０は、発光部１２０に供給する電流を制御することで発光部１２０の発光状態を制御する。本実施の形態では、駆動回路１３０による制御によって発光部１２０から放出される光量の調整（調光）がなされる。すなわち、本実施の形態に係る駆動回路１３０は、簡単にいうと、交流から直流への変換機能と調光機能とを有している。
【００４０】
なお、駆動回路１３０は、調光機能を有していなくてもよい。つまり、基板１０１に配置された複数の回路部品１３１の全てが、発光部１２０（複数の発光素子１２１の各々）を発光させるための電力を生成するための電源回路を構成する部品であってもよい。つまり、駆動回路１３０は、少なくとも当該電源回路としての機能を備えていればよい。
【００４１】
また、駆動回路１３０は調色機能を有してもよい。例えば、複数の発光素子１２１の中に、互いに色温度の異なる発光素子１２１を含む場合を想定する。この場合、駆動回路１３０は、例えば、色温度が高い１以上の発光素子１２１の光出力、及び、色温度が低い１以上の発光素子１２１の光出力を制御することで、発光部１２０の発光色を変化させてもよい。
【００４２】
上記構成を有する駆動回路１３０には、基板１０１に配置された電極を介して電力が供給される。具体的には、本実施の形態では、基板１０１の、筐体５０の第一開口部５５側の端部に、一対の電極１５５が配置されている。一対の電極１５５のそれぞれは、第一電極の一例である。一対の電極１５５は、基板１０１が有する金属配線の露出した部分によって形成されており、一対の電極１５５と駆動回路１３０とは金属配線を介して電気的に接続されている。
【００４３】
また、基板１０１の、筐体５０の第二開口部５６側の端部に、一対の電極１６５が配置されている。一対の電極１６５のそれぞれは、第二電極の一例である。一対の電極１６５は、基板１０１が有する金属配線の露出した部分によって形成されており、一対の電極１６５と一対の電極１５５とは金属配線を介して電気的に接続されている。
【００４４】
上記構成を有する基板１０１は、本実施の形態では、基板１０１の両端部が、筐体５０に取り付けられた第一端部カバー１７０及び第二端部カバー１８０に押さえられることで筐体５０に固定されている。
【００４５】
具体的には、第一端部カバー１７０は第一押圧部１７６を有し、第二端部カバー１８０は第二押圧部１８６を有する。本実施の形態において、第一押圧部１７６及び第二押圧部１８６のそれぞれは、導電性を有しており、第一端部カバー１７０及び第二端部カバー１８０と基板１０１（発光モジュール１００）との電気的な接続の役割も担っている。
【００４６】
つまり、第一端部カバー１７０及び第二端部カバー１８０が筐体５０に取り付けられることで、基板１０１と第一端部カバー１７０及び第二端部カバー１８０との電気的な接続と、基板１０１の固定とが完了する。
【００４７】
［端部カバー］
次に、本実施の形態における照明装置１０の、第一端部カバー１７０及び第二端部カバー１８０の構造及び機能について、図１〜図３を参照しながら、さらに図４及び図５を用いて説明する。
【００４８】
図４は、実施の形態に係る第一端部カバー１７０の第１の分解斜視図である。図５は、実施の形態に係る第一端部カバー１７０の第２の分解斜視図である。
【００４９】
図２〜図５に示すように、第一端部カバー１７０は、第一当接部１７５と、第一当接部１７５の基板１０１側に配置された第一押圧部１７６とを有している。具体的には、第一端部カバー１７０は、一対の第一押圧部１７６を有している。一対の第一押圧部１７６のそれぞれは、第一端部カバー１７０が、筐体５０に取り付けられた場合に、基板１０１の端部（より具体的には電極１５５）を、基板配置面５８に向かう方向に押圧する位置に配置されている。
【００５０】
本実施の形態では、第一押圧部１７６として、導電性を有する弾性部材である導電バネが採用されている。第一押圧部１７６である導電バネは、例えば銅合金を素材する板バネ状の部材である。
【００５１】
また、第一端部カバー１７０は、図５に示すように、一対の差込口１７２が形成された第一プレート１７１を有している。一対の差込口１７２それぞれの奥には、第一押圧部１７６が存在し、差込口１７２に、例えば金属製のピンが差し込まれた場合、その差込口１７２に対応する第一押圧部１７６と、当該ピンとが導通する。また、一対の第一押圧部１７６のそれぞれは、電極１５５と接触しており、その結果、一対の差込口１７２に差し込まれた一対のピンと、一対の電極１５５とは導通する。
【００５２】
すなわち、第一端部カバー１７０は、一対の差込口１７２に差し込まれた一対のピンから受け取った電力を、一対の第一押圧部１７６を介して、一対の電極１５５に供給することができる構造を有している。
【００５３】
ここで、一対の電極１５５は、上述のように、駆動回路１３０及び一対の電極１６５と、基板１０１が有する金属配線を介して電気的に接続されている。そのため、一対の電極１５５に供給された電力は、駆動回路１３０及び一対の電極１６５のそれぞれに供給される。
【００５４】
駆動回路１３０は、一対の電極１５５を介して供給された電力を用いて発光部１２０（複数の発光素子１２１）を発光させる。また、一対の電極１６５に供給された電力は、第二端部カバー１８０を介して、例えば、外部の機器の動作に用いられる。
【００５５】
具体的には、第二端部カバー１８０は、例えば図３に示すように、第二当接部１８５と、第二当接部１８５の基板１０１側に配置された第二押圧部１８６とを有している。具体的には、第二端部カバー１８０は、一対の第二押圧部１８６を有しており、一対の第二押圧部１８６のそれぞれは、第二端部カバー１８０が、筐体５０に取り付けられた場合に、電極１６５を押圧する位置に配置されている。なお、図３において、第二端部カバー１８０は側面視で図示されており、第二押圧部１８６は１つのみ図示されているが、第二端部カバー１８０は、紙面の奥方向（Ｙ軸プラス側）にもう１つの第二押圧部１８６を有している。
【００５６】
また、第二押圧部１８６は、第一押圧部１７６と同じく、導電性を有する弾性部材である導電バネであり、例えば銅合金を素材する、板バネ状の部材である。
【００５７】
第二端部カバー１８０はさらに、図１〜図３に示すように、一対のピン１８２が突設された第二プレート１８１を有している。一対のピン１８２のそれぞれは、第二端部カバーが有する出力部の一例である。
【００５８】
本実施の形態において、一対のピン１８２それぞれの奥には、第二押圧部１８６が接触して配置されている。つまり、第二端部カバー１８０が筐体５０に取り付けられた場合、一対のピン１８２と、一対の電極１６５とは導通する。
【００５９】
一対の電極１６５には、上述のように、第一端部カバー１７０から基板１０１を介して電力が供給されている。従って、一対の電極１６５と導通している一対のピン１８２は、一対の電極１６５に供給された電力を、外部の機器に供給することができる。このように、第二端部カバー１８０は、第一押圧部１７６から、基板１０１を介して第二押圧部１８６に供給される電力を外部に出力するピン１８２を有する。
【００６０】
ここで、一対のピン１８２は、第一端部カバー１７０が有する一対の差込口１７２に差込可能な大きさ及び位置に配置されている。
【００６１】
従って、ある１つの照明装置１０（照明装置Ａ）の一対のピン１８２を、他の照明装置１０（照明装置Ｂ）の一対の差込口１７２に挿入することで、照明装置Ａと照明装置Ｂとを連結することができる。この状態において、照明装置Ｂは、照明装置Ａの一対のピン１８２から供給される電力を用いて照明光を放出することができる。すなわち、複数の照明装置１０を連結することで、さらに長い一台の照明装置を、疑似的に構成することが可能である。
【００６２】
また、第一端部カバー１７０は、第一押圧部１７６が基板１０１を押圧することで生じる基板１０１からの反力を、第一当接部１７５を介して筐体５０に伝達する構造を有している。これにより、第一端部カバー１７０（特に第一プレート１７１）にかけられる負荷（力学的な負荷、以下同じ）の軽減が図られている。第二端部カバー１８０についても同様に、負荷が軽減される構造が採用されている。この効果を含め、第一端部カバー１７０及び第二端部カバー１８０と基板１０１等との構造上の関係について、図６〜図８を用いて説明する。
【００６３】
［照明装置の組み立て手順］
図６及び図７は、実施の形態に係る照明装置１０の組み立て手順を示す第１及び第２の図である。図８は、実施の形態に係る照明装置１０の第二端部カバー１８０及びその周辺の構造を示す図である。
【００６４】
なお、図６及び図７では、図３におけるＶＩ−ＶＩ線を通るＸＺ平面における、第一端部カバー１７０及びその周辺の断面が図示されている。また、第一押圧部１７６については、断面ではなく側面が図示されている。また、図８についても同様に、ＶＩ−ＶＩ線を通るＸＺ平面における、第二端部カバー１８０及びその周辺の断面が図示されており、第二押圧部１８６については断面ではなく側面が図示されている。
【００６５】
また、以下では、互いに接触する一組の第一押圧部１７６及び電極１５５に着目してこれらの位置関係等の説明を行っているが、当該説明の内容は、一対の第一押圧部１７６及び一対の電極１５５によって構成される、互いに接触する二組の第一押圧部１７６及び電極１５５に適用される。
【００６６】
図６に示すように、筐体５０の基板配置面５８に、基板１０１（発光モジュール１００）が配置された状態で、第一開口部５５から、第一端部カバー１７０の第一当接部１７５が挿入される。また、基板１０１の第一開口部５５側の端部には、図６に示すように電極１５５が配置されている。具体的には、電極１５５は、基板１０１の基材１０１ｂ上に形成されたレジスト層１０１ｃの開口から露出した金属層によって形成されている。
【００６７】
筐体５０の第一開口部５５から第一当接部１７５が挿入された場合、導電バネである第一押圧部１７６は、基板１０１の厚み方向（Ｚ軸方向）の幅を縮ませて、基板１０１上を滑りながら進み、挿入の完了時では、図７に示すように、電極１５５に接触する。
【００６８】
この状態において、導電バネである第一押圧部１７６は、復元力によって電極１５５を押圧する。これにより、基板１０１の、第一開口部５５側の端部が筐体５０に固定される。
【００６９】
また、第一押圧部１７６が基板１０１を押圧することで第一押圧部１７６の、基板１０１とは反対側に接触する第一当接部１７５は、基板１０１から反力を受ける。そのため、例えば、第一開口部５５を塞ぐように固定された第一プレート１７１に当該反力による負荷が掛かることが考えられる。
【００７０】
具体的には、仮に、第一押圧部１７６を支持する第一当接部１７５が筐体５０の天面５９に当接していない場合、基板１０１からの反力によって、例えば第一当接部１７５が、第一当接部１７５の先端（自由端）が基板１０１と反対方向に持ち上げられるように反ることが考えられる。この場合、例えば、第一当接部１７５の根本部分（第一プレート１７１との接続部分）、及び、第一プレート１７１と筐体５０との接続部分に応力が集中する。その結果、例えば、第一端部カバー１７０の変形、または、第一プレート１７１と筐体５０との接続部分の緩みまたは剥がれ等の不具合が生じ得る。
【００７１】
しかしながら、第一押圧部１７６は、筐体５０の基板１０１に対向する内面である天面５９に当接している。つまり、基板１０１からの反力を受ける第一当接部１７５は、天面５９（筐体５０）によって支えられる。より詳細には、第一当接部１７５は、第一押圧部１７６が基板１０１を押圧している位置（押圧位置）の直上の位置（基板１０１の厚み方向において押圧位置と対向する位置）を含む範囲で、天面５９と当接している。
【００７２】
従って、基板１０１からの反力による、第一当接部１７５の基板１０１とは反対方向への変位（反り）が抑制される。その結果、上記の不具合の発生が抑制される。また、第一当接部１７５の変位（反り）が抑制されることで、導電バネである第一押圧部１７６の復元力が基板１０１を押圧する力として効率よく作用し、これにより、基板１０１の安定的な固定が実現される。
【００７３】
また、本実施の形態では、第二端部カバー１８０も、第一端部カバー１７０と共通する構造を有しており、第一端部カバー１７０と同様の効果を奏することができる。
【００７４】
具体的には、筐体５０の基板配置面５８に、基板１０１（発光モジュール１００）が配置された状態で、第二開口部５６から、第二端部カバー１８０の第二当接部１８５が挿入される。この挿入時において、導電バネである第二押圧部１８６は、基板１０１の厚み方向（Ｚ軸方向）の幅を縮ませて、基板１０１上を滑りながら進み、挿入の完了時では、図８に示すように、電極１６５に接触する。なお、電極１６５は、基板１０１の基材１０１ｂ上に形成されたレジスト層１０１ｃの開口から露出した金属層によって形成されている。
【００７５】
この状態において、導電バネである第二押圧部１８６は、復元力によって電極１６５を押圧する。これにより、基板１０１の、第二開口部５６側の端部が筐体５０に固定される。
【００７６】
また、第二押圧部１８６が基板１０１を押圧することで第二押圧部１８６の、基板１０１とは反対側に接触する第二当接部１８５は、基板１０１から反力を受ける。この状態において、第二押圧部１８６は、筐体５０の天面５９に当接している。つまり、基板１０１からの反力を受ける第二当接部１８５は、天面５９（筐体５０）によって支えられる。従って、基板１０１からの反力による、第二当接部１８５の基板１０１とは反対方向への変位（反り）が抑制される。その結果、第二端部カバー１８０の変形、または、第二プレート１８１と筐体５０との接続部分の緩みまたは剥がれ等の不具合の発生が抑制される。また、第二当接部１８５の変位（反り）が抑制されることで、導電バネである第二押圧部１８６の復元力が基板１０１を押圧する力として効率よく作用し、これにより、基板１０１の安定的な固定が実現される。
【００７７】
［効果等］
以上説明したように、本実施の形態に係る照明装置１０は、長手方向の一端に第一開口部５５を有し、長手方向の他端に第二開口部５６を有する長尺状の筐体５０と、第一開口部５５に取り付けられた第一端部カバー１７０と、筐体５０の内部の基板配置面５８に配置され、複数の発光素子１２１が配置された長尺状の基板１０１とを備える。基板１０１は、複数の発光素子１２１が基板１０１の長手方向に並んで配置された発光素子領域１０２、及び、基板１０１の短手方向において発光素子領域１０２と隣り合う回路領域１０３であって、複数の回路部品１３１が長手方向に並んで配置された回路領域１０３を有する。第一端部カバー１７０は、筐体５０の、基板１０１に対向する内面である天面５９に当接する第一当接部１７５と、第一当接部１７５の、天面５９と反対側に接触して配置され、回路領域１０３の第一開口部５５側の端部を、基板配置面５８に向かう方向に押圧する第一押圧部１７６とを有する。
【００７８】
この構成によれば、筐体５０の端部の開口部（第一開口部５５）に取り付けられるカバー（第一端部カバー１７０）が、基板１０１の端部を、基板配置面５８に向かう方向に押圧する。本実施の形態では、基板１０１は裏面側から筐体５０の基板配置面５８によって支持されており、基板１０１の端部は、第一押圧部１７６と基板配置面５８とに挟まれることで筐体５０に固定される。つまり、第一端部カバー１７０が、第一開口部５５を覆う機能に加え、基板１０１を筐体５０に固定する機能を有している。そのため、筐体５０の第一開口部５５を覆うための、第一端部カバー１７０の取り付け作業により、基板１０１を筐体５０に固定するための作業の少なくとも一部が完了する。
【００７９】
また、第一押圧部１７６が基板１０１の端部を押圧することで生じる基板１０１の反力は、第一押圧部１７６に接触する（第一押圧部１７６を基板１０１の反対側から支持する）第一当接部１７５を介して筐体５０の天面５９に伝達される。つまり、第一当接部１７５は、筐体５０の天面５９によって第一押圧部１７６の反対側から支持される。簡単にいうと、第一端部カバー１７０の一部が、基板１０１と筐体５０の天面５９との間で突っ張るように配置される。これにより、第一端部カバー１７０の変形等の不具合の発生が抑制され、また、基板１０１の安定的な固定が実現される。
【００８０】
また、基板１０１の長手方向に沿って設けられた発光素子領域１０２を消費せずに、第一端部カバー１７０による基板１０１の端部の固定が行われる。そのため、例えば、基板１０１の長手方向の端縁に近い位置に発光素子１２１を配置することができる。つまり、発光モジュール１００における発光部１２０の存在範囲を大きくすることができる。また、発光素子領域１０２と回路領域１０３とは、基板１０１の短手方向に並んでいる。そのため、平面視において回路領域１０３内に配置される第一当接部１７５及び第一押圧部１７６に阻害されずに、発光部１２０からの光を照明装置１０の外部に放出させることができる。
【００８１】
このように、本実施の形態に係る照明装置１０は、長尺状の筐体５０と、複数の発光素子１２１が配置された長尺状の基板１０１とを備える照明装置１０であって、効率よく組み立てることができる照明装置１０である。
【００８２】
また、本実施の形態に係る照明装置１０において、第一押圧部１７６は、弾性部材である。
【００８３】
これにより、例えば図６及び図７を用いて説明したように、第一押圧部１７６の弾性変形を伴いながら、第一端部カバー１７０の、筐体５０の第一開口部５５への取り付けを行うことができる。つまり、第一端部カバー１７０の第一当接部１７５を筐体５０に挿入する、という簡易な作業で、第一押圧部１７６を、基板１０１の端部を押圧する位置に配置することができる。
【００８４】
また、本実施の形態では、第一押圧部１７６は導電性を有し、回路領域１０３の第一開口部５５側の端部には電極１５５が設けられており、第一押圧部１７６が電極１５５を押圧することで、第一端部カバー１７０と基板１０１とが電気的に接続される。
【００８５】
この構成によれば、第一押圧部１７６は、基板１０１を固定するための機能に加え、第一端部カバー１７０と基板１０１との電気的な接続を行う機能も有している。従って、第一端部カバー１７０の、筐体５０の第一開口部５５への取り付けにより、基板１０１の固定及び第一端部カバー１７０と基板１０１との電気的な接続の両方を行うことができる。このことは、例えば、照明装置１０の製造に要する時間またはコストの削減に寄与する。
【００８６】
なお、本実施の形態では、第一押圧部１７６及び第二押圧部１８６として、板バネ状の部材である導電バネが採用されているため、第一押圧部１７６及び第二押圧部１８６の作製または入手が容易である。また、例えば第一端部カバー１７０と基板１０１との電気的な接続に、仮に、基板１０１にはんだ付けされたコネクタとリード線（電線）とを用いた場合、コネクタがリード線に引っ張られることによる、はんだ部分への負荷の集中等の機械的な不具合が生じ得る。しかしながら、本実施の形態では、基板１０１の電極１５５（金属層の一部）と、導電バネである第一押圧部１７６との接触により第一端部カバー１７０と基板１０１との電気的な接続が行われる。そのため、上述のような機械的な不具合は生じ難い。
【００８７】
また、本実施の形態では、第一端部カバー１７０は、筐体５０に、接着剤またはネジ１９０により取り付けられている。
【００８８】
つまり、本実施の形態では、上述のように、第一端部カバー１７０の第一当接部１７５が、筐体５０の天面５９に当接していることで、第一押圧部１７６が基板１０１を押圧することに起因する第一端部カバー１７０の変形が生じ難い。従って、例えば第一プレート１７１（例えば図２参照）を、筐体５０の第一開口部５５に、接着剤またはネジ等の簡易な手法で固定することができる。また、例えば、比較的に少ない本数のネジ１９０で第一端部カバー１７０を筐体５０に固定することができる。
【００８９】
また、本実施の形態に係る照明装置１０は、筐体５０の、第二開口部５６に取り付けられた第二端部カバー１８０を備え、第二端部カバー１８０は、筐体５０の基板１０１に対向する内面である天面５９に当接する第二当接部１８５と、第二当接部１８５の、天面５９と反対側に接触して配置され、回路領域１０３の第二開口部５６側の端部を、基板配置面５８に向かう方向に押圧する第二押圧部１８６とを有する。
【００９０】
この構成によれば、筐体５０に収容された基板１０１の両端部のそれぞれが、第一端部カバー１７０及び第二端部カバー１８０によって押さえられる。また、第二端部カバー１８０は、第一端部カバー１７０と共通する構造を有している。すなわち、第二当接部１８５は、筐体５０の天面５９によって第二押圧部１８６の反対側から支持される。簡単にいうと、第二端部カバー１８０の一部が、基板１０１と筐体５０の天面５９との間で突っ張るように配置される。これにより、第二端部カバー１８０の変形等の不具合の発生が抑制され、また、基板１０１の安定的な固定が実現される。
【００９１】
また、基板１０１の長手方向に沿って設けられた発光素子領域１０２を消費せずに、第二端部カバー１８０による基板１０１の端部の固定が行われるため、例えば、基板１０１の長手方向の端縁に近い位置に発光素子１２１を配置することができる。つまり、発光モジュール１００における発光部１２０の存在範囲を大きくすることができる。また、平面視において回路領域１０３内に配置される第二当接部１８５及び第二押圧部１８６に阻害されずに、発光部１２０からの光を照明装置１０の外部に放出させることができる。
【００９２】
また、本実施の形態において、第二押圧部１８６は導電性を有し、回路領域１０３の第二開口部５６側の端部には電極１６５が設けられており、第二押圧部１８６が電極１６５を押圧することで、第二端部カバー１８０と基板１０１とが電気的に接続されている。また、複数の発光素子１２１は、第一押圧部１７６を介して供給される電力を用いて発光する。第二端部カバー１８０は、第一押圧部１７６から、基板１０１を介して第二押圧部１８６に供給される電力を外部に出力するピン１８２を有する。
【００９３】
この構成によれば、照明装置１０は、第一端部カバー１７０を介して受け取った電力を用いて照明光を放出する。本実施の形態では、駆動回路１３０が、第一端部カバー１７０を介して受け取った交流電力を直流電力に変換し、発光部１２０に直流電力を供給することで、発光部１２０に含まれる複数の発光素子１２１が発光する。照明装置１０はさらに、第一端部カバー１７０を介して受け取った電力を、例えば外部の機器に供給することができる一対のピン１８２を第二端部カバー１８０に備えている。
【００９４】
つまり、本実施の形態に係る照明装置１０では、上述のように、第二端部カバー１８０も、第一端部カバー１７０と同じく、基板１０１を押さえ、かつ、基板１０１と電気的に接続されている。そのため、第二端部カバー１８０は、第一端部カバー１７０から入力される電力を、基板１０１を介して受け取って外部に出力することができる。これにより、例えば上述のように、複数の照明装置１０を直列に接続することで、さらに長い１つの照明装置を構成することも可能である。すなわち、設置場所または要求される能力等の条件に応じて、複数の照明装置１０を組み合わせることができ、これにより、当該条件に適した照明装置（照明システム）を構成することができる。言い換えると、本実施の形態に係る照明装置１０は、このような有用性の高い照明装置１０であって、効率よく組み立てることができる照明装置１０である。
【００９５】
（その他）
以上、本発明に係る照明装置について、実施の形態に基づいて説明したが、本発明は、上記の実施の形態に限定されるものではない。
【００９６】
例えば、第一押圧部１７６及び第二押圧部１８６の形状及び構成は、図３〜図８に示される形状及び構成である必要はない。例えば、第一押圧部１７６または第二押圧部１８６は、折れ曲がった部分をより多く有する板バネによって実現されてもよい。また、第一押圧部１７６または第二押圧部１８６は、例えば、エラストマーと金属体との組み合わせによって、基板１０１を押圧する機能とで導電機能とを実現してもよい。
【００９７】
また、例えば、第一当接部１７５の一部が第一押圧部１７６とて機能してもよい。すなわち、第一当接部１７５及び第一押圧部１７６としての機能を有する単一の部品が、第一端部カバー１７０として採用されてもよい。このことは、第二端部カバー１８０についても同じである。
【００９８】
また、本実施の形態では、第二端部カバー１８０が有する出力部として、ピン１８２が採用されたが、出力部の態様に特に限定はない。例えば、第二端部カバー１８０に設けられたソケットであって、導電部材が挿入されるソケットが、他の機器に電力を出力する出力部として機能してもよい。また、第二端部カバー１８０から延設されたケーブルが出力部として機能してもよい。
【００９９】
また、例えば、筐体５０は、全体として角筒状の形状を有しているが、筐体５０の形状はこれに限られず、例えば丸筒状であってもよい。また、筐体５０は、本体部５１と光源カバー５２とで構成されているが、筐体５０は、筒状の単一の部材であってもよい。
【０１００】
また、照明装置１０は、第二端部カバー１８０を介して外部からの電力を受け取り、かつ、第一端部カバー１７０を介して外部に電力を供給してもよい。また、照明装置１０が外部に電力を供給することは必須ではなく、第一端部カバー１７０及び第二端部カバー１８０の一方が、外部からの電力を受け取るための機能（受電機能）を有していればよい。例えば、第一端部カバー１７０のみが受電機能を有する場合、第二端部カバー１８０が備える第二押圧部１８６は、導電性を有さずに、基板１０１の固定のみのための部材として機能してもよい。
【０１０１】
また、照明装置１０は、第一端部カバー１７０及び第二端部カバー１８０の両方を介して交流電力を受け取ってもよい。つまり、接地側電線を第一端部カバー１７０及び第二端部カバー１８０の一方に接続し、非接地側電線を第一端部カバー１７０及び第二端部カバー１８０の他方に接続することで、照明装置１０に交流電力が供給されてもよい。この場合、第一端部カバー１７０が備える、導電性を有する第一押圧部１７６の数は１つでもよい。また、第二端部カバー１８０が備える、導電性を第二押圧部１８６の数は１つでもよい。
【０１０２】
また、照明装置１０は、第一端部カバー１７０及び第二端部カバー１８０の少なくとも一方を介して直流電力を受け取ってもよい。この場合、駆動回路１３０は、交流電力を直流電力に変換する機能を有しなくてもよい。駆動回路１３０は、第一端部カバー１７０及び第二端部カバー１８０の少なくとも一方を介して受け取った直流電力を、複数の発光素子１２１（発光部１２０）の点灯に適した特性の直流電力に変換する機能のみを有してもよい。
【０１０３】
また、第一端部カバー１７０及び第二端部カバー１８０のそれぞれが、基板１０１を固定する、とは、基板１０１が筐体５０に対して全く移動できない場合のみでなく、例えば照明装置１０の性能等に実質的な影響を与えない範囲で、基板１０１が移動可能な場合も含む。
【０１０４】
また、基板１０１の、筐体５０の長手方向における位置を規制するめに、例えば基板配置面５８に突起またはリブが設けられてもよい。また、第一端部カバー１７０及び第二端部カバー１８０のそれぞれが、基板１０１の、筐体５０の長手方向における位置を規制するための突起等を備えてもよい。
【０１０５】
また、例えば、発光モジュール１００が有する発光素子１２１は、ＳＭＤ型ＬＥＤ素子であるとしたが、これに限らない。例えば、ベアチップが基板上に直接実装されたＣＯＢ（Ｃｈｉｐ  Ｏｎ  Ｂｏａｒｄ）型の発光モジュールが照明装置１０に備えられてもよい。
【０１０６】
この場合、例えば、複数のＬＥＤチップを一括または個別に封止する封止部材であって、上述の黄色蛍光体等の波長変換材を含む封止部材を配置することで、複数のＬＥＤチップからの光の波長を所定の波長に変換させてもよい。
【０１０７】
また、発光モジュール１００が発光素子１２１として採用とする固体発光素子はＬＥＤに限定されず、半導体レーザ、有機ＥＬ（Ｅｌｅｃｔｒｏ  Ｌｕｍｉｎｅｓｃｅｎｃｅ）、または無機ＥＬ等の固体発光素子が発光素子１２１として採用されてもよい。
【０１０８】
その他、実施の形態または変形例に対して当業者が思いつく各種変形を施して得られる形態や、本発明の趣旨を逸脱しない範囲で実施の形態または変形例における構成要素及び機能を任意に組み合わせることで実現される形態も本発明に含まれる。
【符号の説明】
【０１０９】
１０  照明装置
５０  筐体
５５  第一開口部
５６  第二開口部
５８  基板配置面
５９  天面（内面）
１０１  基板
１０２  発光素子領域
１０３  回路領域
１２１  発光素子
１３１  回路部品
１５５  電極（第一電極）
１６５  電極（第二電極）
１７０  第一端部カバー
１７５  第一当接部
１７６  第一押圧部
１８０  第二端部カバー
１８２  ピン（出力部）
１８５  第二当接部
１８６  第二押圧部
【図１】
2018085211.tif 000003
【図２】
2018085211.tif 000004
【図３】
2018085211.tif 000005
【図４】
2018085211.tif 000006
【図５】
2018085211.tif 000007
【図６】
2018085211.tif 000008
【図７】
2018085211.tif 000009
【図８】
2018085211.tif 000010